(57)【要約】      （修正有）【課題】アドレス期間中にＸ電極に同時に印加されるデータ信号は、Ｙ電極とＺ電極に印加される駆動波形に影響するノイズ発生の原因となる。このノイズを減らし、アドレス放電を安定化する。【解決手段】アドレス期間の間、データ信号はそれぞれ異なる印加時点ｔ０〜ｔｎ−１でＸ電極Ｘ１〜Ｘｎに印加される。Ｘ１には時点ｔｏでデータ信号が印加され、Ｘ２には時点ｔ１＝ｔ０＋Δｔ１でデータ信号が印加され、Ｘｎ電極にはｔｎ−１＝ｔ０＋Δｔｎ−１でデータ信号が印加される。【選択図】図７
2006065299.tif 000002
【特許請求の範囲】
【請求項１】
複数のスキャン電極と、前記スキャン電極と交差する複数のデータ電極と、を有するプラズマディスプレイパネルの駆動装置において、
前記複数のスキャン電極のうちいずれか１つにスキャンパルスを印加するように構成されたスキャンドライバと、
前記スキャンパルスに対応する時間周期中に複数のデータ電極群のそれぞれにデータ信号を印加するように構成されたデータドライバと、を備えるが、前記複数のデータ電極群のうち少なくともいずれか１つへの印加時点は、他のデータ電極群のそれぞれに対応する印加時点とは異なり、前記複数のデータ電極群のそれぞれは１以上のデータ電極を有することを特徴とする、プラズマディスプレイパネルの駆動装置。
【請求項２】
前記複数のデータ電極群のそれぞれに対応する印加時点は、前記スキャンパルスに対応する時間周期内で異なることを特徴とする、請求項１記載のプラズマディスプレイパネルの駆動装置。
【請求項３】
前記データ電極群の数は、前記データ電極の総数よりも少ないことを特徴とする、請求項１記載のプラズマディスプレイパネルの駆動装置。
【請求項４】
前記データ電極群の数は、４〜８であることを特徴とする、請求項１記載のプラズマディスプレイパネルの駆動装置。
【請求項５】
前記複数のデータ電極群のそれぞれは、同一数のデータ電極を有することを特徴とする、請求項１記載のプラズマディスプレイパネルの駆動装置。
【請求項６】
前記データ電極群のそれぞれと関連するデータ電極の数は、他のデータ電極群のうちいずれか１つのデータ電極群と関連するデータ電極の数であることを特徴とする、請求項１記載のプラズマディスプレイパネルの駆動装置。
【請求項７】
前記複数のデータ電極群のそれぞれと関連するデータ電極の数は、１００〜１，０００のデータ電極の範囲である請求項１記載のプラズマディスプレイパネルの駆動装置。
【請求項８】
前記１以上のデータ電極は、前記複数のデータ電極群のそれぞれの内に順次にグループ分けされていることを特徴とする、請求項１記載のプラズマディスプレイパネルの駆動装置。
【請求項９】
前記１以上のデータ電極は、前記複数のデータ電極群のそれぞれの内にランダムにグループ分けされていることを特徴とする、請求項１記載のプラズマディスプレイパネルの駆動装置。
【請求項１０】
同じデータ電極群に含まれている全てのデータ電極は、同じ印加時点で前記データドライバから前記データ信号を受信することを特徴とする、請求項１記載のプラズマディスプレイパネルの駆動装置。
【請求項１１】
前記データドライバは、前記スキャンパルスの関数として前記複数のデータ電極群のそれぞれに前記データ信号を印加することを特徴とする、請求項１記載のプラズマディスプレイパネルの駆動装置。
【請求項１２】
前記スキャンパルスに対応する時間周期中に、印加時点間の時間差は同じであることを特徴とする、請求項１記載のプラズマディスプレイパネルの駆動装置。
【請求項１３】
前記スキャンパルスに対応する時間周期中に、それぞれの印加時点と次の印加時点との間の時間差はそれぞれ異なることを特徴とする、請求項１記載のプラズマディスプレイパネルの駆動装置。
【請求項１４】
所定のサブフィールド内における各スキャンパルスに対応する時間周期中に、それぞれの印加時点と次の印加時点との間の時間差は同じであることを特徴とする、請求項１記載のプラズマディスプレイパネルの駆動装置。
【請求項１５】
所定のサブフィールド内における各スキャンパルスに対応する時間周期中に、それぞれの印加時点と次の印加時点との間の時間差はそれぞれ異なることを特徴とする、請求項１記載のプラズマディスプレイパネルの駆動装置。
【請求項１６】
前記スキャンパルスに対応する時間周期中に、それぞれの印加時点と次の印加時点との間の時間差は１０ｎｓ〜１、０００ｎｓの範囲であることを特徴とする、請求項１記載のプラズマディスプレイパネルの駆動装置。
【請求項１７】
前記スキャンパルスに対応する時間周期中に、それぞれの印加時点と次の印加時点との間の時間差は、スキャンパルス幅に対応する時間の１／１００〜前記スキャンパルスに対応する時間と同じ時間量の範囲であることを特徴とする、請求項１記載のプラズマディスプレイパネルの駆動装置。
【請求項１８】
タイミングテーブルが格納されている記憶媒体をさらに備えるが、前記タイミングテーブルは印加時点を定義する情報を含むことを特徴とする、請求項１記載のプラズマディスプレイパネルの駆動装置。
【請求項１９】
スキャン電極と、サステイン電極と、前記スキャン電極及び前記サステイン電極と交差する複数のデータ電極と、を有するプラズマディスプレイパネルの駆動装置において、
前記スキャン電極にスキャン信号を印加するように構成されたスキャンドライバと、
前記スキャン信号に対応する相異なる印加時点で前記複数のデータ電極のうち少なくともいずれか２つのデータ電極にデータ信号を印加するように構成されたデータドライバと、を備えることを特徴とするプラズマディスプレイパネルの駆動装置。
【請求項２０】
前記データドライバは、前記スキャン信号の関数として前記相異なる時点で前記データ信号を印加することを特徴とする、請求項１９記載のプラズマディスプレイパネルの駆動装置。
【請求項２１】
それぞれの印加時点と所定のサブフィールド内における１以上のスキャン信号のそれぞれと関連する次の印加時点との間の時間差は、同じであることを特徴とする、請求項１９記載のプラズマディスプレイパネルの駆動装置。
【請求項２２】
それぞれの印加時点と所定のサブフィールド内における１以上のスキャン信号のそれぞれと関連する次の印加時点との間の時間差は、それぞれ異なることを特徴とする、請求項１９記載のプラズマディスプレイパネルの駆動装置。
【請求項２３】
それぞれの印加時点と所定のサブフィールド内における１以上のスキャン信号のそれぞれと関連する次の印加時点との間の時間差は、１０ｎｓ〜１，０００ｎｓの範囲であることを特徴とする、請求項１９記載のプラズマディスプレイパネルの駆動装置。
【請求項２４】
それぞれの印加時点と所定のサブフィールド内における１以上のスキャン信号のそれぞれと関連する次の印加時点との間の時間差は、所定のスキャンパルス幅の１／１００〜前記所定のスキャンパルス幅と同じ時間量の範囲であることを特徴とする、請求項１９記載のプラズマディスプレイパネルの駆動装置。
【請求項２５】
タイミングテーブルが格納されている記憶媒体をさらに備えるが、前記タイミングテーブルは印加時点を定義する情報を含むことを特徴とする、請求項１９記載のプラズマディスプレイパネルの駆動装置。
【請求項２６】
スキャン電極と、サステイン電極と、前記スキャン電極及び前記サステイン電極と交差する第１及び第２アドレス電極と、を有するプラズマディスプレイパネルの駆動装置において、
前記スキャン電極にサステイン信号とスキャン信号を印加するスキャンドライバと、
前記スキャン電極に印加されるサステイン信号と交互に、前記サステイン電極にサステイン信号を印加するサステインドライバと、
第１印加時点で前記第１アドレス電極に第１データ信号を印加し、第２印加時点で前記第２アドレス電極に第２データ信号を印加するデータドライバと、を備えるが、前記第１印加時点は前記第２印加時点とは異なり、前記第１及び第２印加時点は前記スキャン信号に対応する時間周期中に起こることを特徴とするプラズマディスプレイパネルの駆動装置。
【請求項２７】
複数のスキャン電極と、前記スキャン電極と交差する複数のデータ電極と、を有するプラズマディスプレイパネルの駆動装置において、
第１スキャンパルスを第１スキャン電極に印加した後に、第２スキャンパルスを第２スキャン電極に印加するように構成されたスキャンドライバと、
前記第１スキャンパルスに対応する時間周期中に複数の第１データ電極群のうちいずれか１つにデータ信号を印加した後、前記第２スキャンパルスに対応する時間周期中に複数の第２データ電極群のうちいずれか１つにデータ信号を印加するように構成されたデータドライバと、を備えるが、前記複数の第１データ電極群のそれぞれに印加された前記データ信号と関連する印加時間と、前記複数の第２データ電極群のそれぞれに印加された前記データ信号と関連する印加時間は、それぞれ異なることを特徴とするプラズマディスプレイパネルの駆動装置。
【請求項２８】
前記複数の第１データ電極群のそれぞれは１以上のデータ電極群を含み、前記複数の第２データ電極群のそれぞれは１以上のデータ電極群を含むことを特徴とする、請求項２７記載のプラズマディスプレイパネルの駆動装置。
【請求項２９】
前記複数の第１データ電極群は、前記複数の第２データ電極群とは異なることを特徴とする、請求項２７記載のプラズマディスプレイパネルの駆動装置。
【請求項３０】
スキャン電極と、前記スキャン電極と交差する第１及び第２データ電極と、を有するプラズマディスプレイ装置の駆動方法において、
前記スキャン電極にスキャンパルスを印加する段階と、
第１印加時点で前記第１データ電極に第１データ信号を印加し、第２印加時点で前記第２データ電極に第２データ信号を印加する段階と、を含むが、前記第１印加時点と前記第２印加時点は前記スキャンパルスに対応する時間周期中に起こり、前記第１印加時点と前記第２印加時点はそれぞれ異なることを特徴とするプラズマディスプレイ装置の駆動方法。
【請求項３１】
前記第１データ電極は複数の第１データ電極群のうちいずれか１つと関連し、前記第２データ電極は複数の第２データ電極群のうちいずれか１つと関連し、前記複数のデータ電極のそれぞれは少なくともいずれか１つのデータ電極を備えることを特徴とする、請求項３０記載のプラズマディスプレイ装置の駆動方法。
【請求項３２】
前記第１データ信号及び前記第２データ信号を印加する段階は、前記複数のデータ電極群のそれぞれに存在する少なくともいずれか１つのデータ電極にデータ信号を印加する段階を含むが、前記複数のデータ電極群のそれぞれと関連する前記印加時点はそれぞれ異なることを特徴とする、請求項３１記載のプラズマディスプレイ装置の駆動方法。
【発明の詳細な説明】
【技術分野】
【０００１】
本発明は、プラズマディスプレイパネル(Plasma Display Panel)に係り、より詳細には、アドレス期間中にＸ電極に印加されるデータ信号の印加時点を制御することにより、Ｙ電極及び／またはＺ電極に印加される波形に発生するノイズを減らし、これによりアドレス放電を安定化し、スキャンボード及び／またはサステインボードへの損傷(damage)を防止するプラズマディスプレイパネル及びその駆動方法に関する。
【背景技術】
【０００２】
プラズマディスプレイパネルは、前面基板と背面基板の間に形成された隔壁が１つの単位セルをなしている。各セル内にはネオン（Ｎｅ）、ヘリウム（Ｈｅ）またはネオン及びヘリウムの混合ガス（Ｎｅ＋Ｈｅ）のような主放電ガスと、少量のキセノンを含む不活性ガスが充填されている。
【０００３】
高周波電圧によって放電されると、紫外線(Ultraviolet rays)が発生する。目視できる紫外線は、各セル内の蛍光体を発光することで画像を具現する。プラズマディスプレイパネルは薄くて軽いので、次世代表示装置として脚光を浴びている。
【０００４】
図１は、従来のプラズマディスプレイパネルの構成を示す斜視図である。図１に示すように、プラズマディスプレイパネルは、画像が表示される表示面としての前面基板１００と、背面を形成する背面基板１１０とを含む。前記前面基板１００と背面基板１１０は、所定間隙をあけて平行に配置されている。
【０００５】
前面基板１００は、図１に示した放電セルの放電と発光の制御に用いられる、スキャン電極１０１（Ｙ電極）及びサステイン電極１０２（Ｚ電極）を備える。Ｙ電極１０１及びＺ電極のそれぞれは、透明なインジウムティンオキサイド（Indium-Tin-Oxide:ＩＴＯ）よりなる透明電極ａと、金属材質よりなるバス電極ｂとを有する。このＹ電極１０１及びＺ電極１０２は共に電極対を成す。Ｙ電極１０１及びＺ電極１０２は、放電電流を制限し、電極対間を絶縁する１以上の誘電体層１０３によって覆われる。誘電体層１０３上には放電条件を容易に実現するためのに酸化マグネシウム（ＭｇＯ）が蒸着された保護層１０４が形成される。
【０００６】
背面基板１１０には、複数の放電空間、すなわち放電セルを形成するためのストライプパターン（またはウェルタイプ)の隔壁１１１が並列に配列される。また、アドレス放電を行い、紫外線を発生させる複数のアドレス電極１１２（Ｘ電極）が隔壁１１１に対して並んで配置される。背面基板１１０の上面にはアドレス放電時に画像を表示するための可視光を放出するＲ，Ｇ，Ｂ蛍光体１１３が塗布される。アドレス電極１１２と蛍光体１１３との間にはアドレス電極１１２を保護し、蛍光体１１３から発せられる可視光を前面基板１００に反射させる白色誘電体１１４が形成される。
【０００７】
このような構造のプラズマディスプレイパネルは、マトリックス状に配置された複数の放電セルと、該放電セルに所定の駆動信号を供給するための駆動回路を有する駆動モジュールと、を備える。このようなプラズマディスプレイパネルと駆動モジュールとの結合関係を図２を参照して説明する。
【０００８】
図２は、プラズマディスプレイパネル２２と駆動モジュールとの結合関係を示す。図２に示すように、駆動モジュールは、例えばデータドライバＩＣ(Integrated Circuit)２０、スキャンドライバＩＣ２１及びサステインボード２３を含む。
【０００９】
プラズマディスプレイパネル２２は、外部からの画像信号、データドライバＩＣ２０によって所定の信号処理が行われたデータ信号、スキャンドライバＩＣ２１から出力されたスキャン信号、及びサステインボード２３から出力されたサステイン信号を受信する。データ信号、スキャン信号、サステイン信号などを受信したプラズマディスプレイパネル２２における複数のセルから選択されたセルで、放電が発生する。放電の発生したセルは所定の輝度で発光する。
【００１０】
図３は、従来のプラズマディスプレイパネルの画像階調を具現する方法を示す図である。図３に示すように、従来のプラズマディスプレイパネルにおいて階調画像(gray scale image)を提供するため、各画像フレームは複数のサブフィールドに分けられ、各サブフィールドは相異なる発光回数を持つ。また、それぞれのサブフィールドは、全ての放電セルを初期化するさせるためのリセット期間（ＲＰＤ）と、放電するセルを選択するためのアドレス期間（ＡＰＤ）と、放電回数によって階調を具現するサステイン期間（ＳＰＤ）とに分けられる。例えば、２５６階調で画像を表示しようとする場合、図３に示すように、１／６０秒に該当するフレーム期間（１６．６７ｍｓ）は、８つのサブフィールド（ＳＦ１〜ＳＦ８）に分けられ、さらに８つのサブフィールド（ＳＦ１〜ＳＦ８）のそれぞれは、リセット期間とアドレス期間とサステイン期間とに分けられる。
【００１１】
各ソブピルドのリセット期間及びアドレス期間は各サブフィールドごとに同じである。特定の放電セルを選択するためのアドレス放電は、そのセルに対応するＸ電極と透明なＹ電極との間の電圧差の設定によって生じる。ここで、Ｙ電極はスキャン電極を指し、Ｘ電極はアドレス電極を指す。
【００１２】
サステイン期間と関連する時間とサステインパルスの数は、図３に示すように、それぞれのサブフィールドＳＦ１〜ＳＦ８ごとに２ｎ（ただし、ｎ＝０，１，２，３，４，５，６，７)の割合で増加する。このように各サブフィールドごとにサステイン期間が変わるので、画像の階調は、選択されたセルのそれぞれを放電するためにどのサステイン期間を使用するか、すなわち、放電セルのそれぞれで実現されるサステイン放電回数を制御することにより表現される。プラズマディスプレイパネルの駆動方法に使われる駆動波形を図４を参照して説明する。
【００１３】
図４は、従来技術によるプラズマディスプレイパネルの駆動に使われる駆動波形を示す。図４に示すように、所定のサブフィールド期間の間、Ｘ，Ｙ及びＺ電極と関連する波形は、全てのセルを初期化するためのリセット期間と、放電するセルを選択するためのアドレス期間と、選択されたセルの放電を維持させるためのサステイン期間と、放電したセル内の壁電荷を消去するための消去期間とに分けられる。
【００１４】
リセット期間におけるセットアップ期間では、全てのＹ電極に上昇ランプ波形Ｒａｍｐ−ｕｐが同時に印加される。その結果、全画面の全ての放電セル内には弱い暗放電(dark discharge)が起こる。ここで、“暗放電”とは所定のセル内で可視光を発しないかまたはほとんど発しない放電をさして言う。セットアップ放電により、Ｘ電極及びＺ電極上には正極性の壁電荷が蓄積され、Ｙ電極上には負極性の壁電荷が蓄積される。ここで、Ｚ電極はサステイン電極を指す。
【００１５】
セットダウン期間では、上昇ランプ波形が印加された後、上昇ランプ波形のピーク電圧より低い正極性電圧から基底電圧ＧＮＤレベル電圧よりも低い特定電圧まで落ちる下降ランプ波形Ｒａｍｐ−ｄｏｗｎが、Ｙ電極に供給される。その結果、全てのセル内で微弱な消去放電が起こる。よって、Ｙ電極上に形成された過剰壁電荷が十分に消去される。また、このセットダウン放電は、アドレス期間中に壁電荷を最適化し、セル内におけるアドレス放電を安定化させることができる。
【００１６】
アドレス期間では、負極性スキャン信号ＳｃａｎがＹ電極に順次に印加されると同時に、スキャン信号に同期される正極性のデータ信号がＸ電極に印加される。このスキャン信号とデータ信号の電圧差とリセット期間中に生成された壁電圧との結果として、データ信号が印加される放電セル内ではアドレス放電が発生する。さらに、アドレス放電によって選択されたセル内には、サステイン電圧Ｖｓが印加されるときに放電を起こすのに充分な量の壁電荷が形成される。Ｚ電極には、セットダウン期間及びアドレス期間中に、Ｙ電極とＺ電極間の電圧差を減らしてＹ電極との誤放電を防止するために、正極性電圧ＶｚがＺ電極に供給される。
【００１７】
サステイン期間では、サステイン信号ＳｕｓがＹ電極とＺ電極に交互に印加される。アドレス期間中に選択されたセルでは、サステイン信号が印加される度に、Ｙ電極とＺ電極の間でサステイン放電、すなわち表示放電が発生する。
【００１８】
サステイン放電が終了した後に、消去期間では、パルス幅の短く且つ電圧レベルの低い消去ランプ波形Ｒａｍｐ−ｅｒｓと関連する電圧がＺ電極に印加され、全画面のセル内に残留する壁電荷を消去させる。
【００１９】
図４の駆動波形をもって駆動されるプラズマディスプレイパネルにおいて、アドレス期間中にＸ電極にデータ信号が印加されるとき、データ信号は全てのＸ電極Ｘ１〜Ｘｎに同時に印加される。このような従来技術に基づき、アドレス期間中に印加されるデータ信号の印加時点を図５を参照して説明する。
【００２０】
図５は、従来のプラズマディスプレイパネルにおいてデータ信号の印加時点を示す概念図である。図５に示すように、従来のプラズマディスプレイパネルにおいて、データ信号は全てのＸ電極Ｘ１〜Ｘｎ に同じ時点ｔ０で印加される。これは、Ｙ電極に印加される波形とＺ電極に印加される波形に影響するノイズをもたらす。このようなノイズが、同じ時点で該当データ信号が全てのＸ電極Ｘ１〜Ｘｎに印加されるとき、Ｙ電極に印加される波形とＺ電極に印加される波形とにノイズが 発生する例を図６を参照して説明する。
【００２１】
図６は、従来のプラズマディスプレイパネルにおいてＸ電極に印加されるデータ信号のためにＹ電極とＺ電極に印加される波形と関連するノイズを示す。図６を参照すれば、従来のプラズマディスプレイパネルにおいて、アドレス期間中にデータ信号が全てのＸ電極に同じ時点で印加されると、Ｙ電極とＺ電極に印加される波形に影響するノイズが発生する。このノイズは静電容量(Capacitance)が原因で発生する。より詳しくは、データ信号が急上昇するとき、Ｙ電極とＺ電極に印加される波形に上昇ノイズが見られる。また、データ信号が急下降するときは、Ｙ電極とＺ電極に印加される波形に下降ノイズが見られる。
【００２２】
上述したように、Ｘ電極に同時に印加されるデータ信号のために、Ｙ電極とＺ電極に印加される波形に影響するノイズは、アドレス放電を不安定にし、プラズマディスプレイパネルの駆動効率を低減し、さらに駆動モジュールのスキャンボード及び／またはサステインボードへの損傷をもたらすおそれがある。
【発明の開示】
【発明が解決しようとする課題】
【００２３】
したがって、本発明は、かかる従来技術の問題点を解決するためのもので、その目的は、アドレス期間中にＸ電極に印加されるデータ信号の印加時点を制御することにより、Ｙ電極及び／またはＺ電極に印加される波形に悪影響を及ぼすノイズを減らし、これによりアドレス放電を安定化し、スキャンボード及び／またはサステインボードへの損傷を防止するプラズマディスプレイパネル及びその駆動方法を提供することにある。
【課題を解決するための手段】
【００２４】
本発明の一側面によれば、本発明の多様な目的及びメリットは、複数のスキャン電極と、スキャン電極と交差する複数のデータ電極と、を有するプラズマディスプレイパネルの駆動装置によって達成される。前記装置は、前記複数のスキャン電極のうちいずれか１つにスキャンパルスを印加するように構成されたスキャンドライバと、前記スキャンパルスに対応する時間周期中に複数のデータ電極群のそれぞれにデータ信号を印加するように構成されたデータドライバと、を備える。さらに、前記複数のデータ電極群のうち少なくともいずれか１つへの印加時点は、他のデータ電極群のそれぞれに対応する印加時点とは異なり、前記複数のデータ電極群のそれぞれは１以上のデータ電極を有する。
【００２５】
本発明の一実施例によるプラズマディスプレイパネルの駆動方法において、データ電極は複数の電極群に分けられるが、いずれか１以上の電極群は残りの電極群とは相異なる時点でデータ信号によって駆動される。
【００２６】
本発明の他の実施例によるプラズマディスプレイパネルの駆動方法において、アドレス期間の間、データ電極の駆動に使われたデータ信号のそれぞれは、相異なる時点で該当データ電極に印加される。
【００２７】
本発明のさらに他の実施例によるプラズマディスプレイパネルの駆動方法において、回路は、２つ以上の相異なる時点でアドレス期間中にデータ電極にデータ信号を印加する。
【００２８】
第１発明に係るプラズマディスプレイパネルの駆動装置は、複数のスキャン電極と、前記スキャン電極と交差する複数のデータ電極と、を有するプラズマディスプレイパネルの駆動装置において、前記複数のスキャン電極のうちいずれか１つにスキャンパルスを印加するように構成されたスキャンドライバと、前記スキャンパルスに対応する時間周期中に複数のデータ電極群のそれぞれにデータ信号を印加するように構成されたデータドライバと、を備えるが、前記複数のデータ電極群のうち少なくともいずれか１つへの印加時点は、他のデータ電極群のそれぞれに対応する印加時点とは異なり、前記複数のデータ電極群のそれぞれは１以上のデータ電極を有することを特徴とする。
【００２９】
第２発明に係るプラズマディスプレイパネルの駆動装置は、第１発明に係るプラズマディスプレイパネルの駆動装置に於いて、前記複数のデータ電極群のそれぞれに対応する印加時点は、前記スキャンパルスに対応する時間周期内で異なることを特徴とする。
【００３０】
第３発明に係るプラズマディスプレイパネルの駆動装置は、第１発明に係るプラズマディスプレイパネルの駆動装置に於いて、前記データ電極群の数は、前記データ電極の総数よりも少ないことを特徴とする。
【００３１】
第４発明に係るプラズマディスプレイパネルの駆動装置は、第１発明に係るプラズマディスプレイパネルの駆動装置に於いて、前記データ電極群の数は、４〜８であることを特徴とする。
【００３２】
第５発明に係るプラズマディスプレイパネルの駆動装置は、第１発明に係るプラズマディスプレイパネルの駆動装置に於いて、前記複数のデータ電極群のそれぞれは、同一数のデータ電極を有することを特徴とする。
【００３３】
第６発明に係るプラズマディスプレイパネルの駆動装置は、第１発明に係るプラズマディスプレイパネルの駆動装置に於いて、前記データ電極群のそれぞれと関連するデータ電極の数は、他のデータ電極群のうちいずれか１つのデータ電極群と関連するデータ電極の数であることを特徴とする。
【００３４】
第７発明に係るプラズマディスプレイパネルの駆動装置は、第１発明に係るプラズマディスプレイパネルの駆動装置に於いて、前記複数のデータ電極群のそれぞれと関連するデータ電極の数は、１００〜１，０００のデータ電極の範囲である。
【００３５】
第８発明に係るプラズマディスプレイパネルの駆動装置は、第１発明に係るプラズマディスプレイパネルの駆動装置に於いて、前記１以上のデータ電極は、前記複数のデータ電極群のそれぞれの内に順次にグループ分けされていることを特徴とする。
【００３６】
第９発明に係るプラズマディスプレイパネルの駆動装置は、第１発明に係るプラズマディスプレイパネルの駆動装置に於いて、前記１以上のデータ電極は、前記複数のデータ電極群のそれぞれの内にランダムにグループ分けされていることを特徴とする。
【００３７】
第１０発明に係るプラズマディスプレイパネルの駆動装置は、第１発明に係るプラズマディスプレイパネルの駆動装置に於いて、同じデータ電極群に含まれている全てのデータ電極は、同じ印加時点で前記データドライバから前記データ信号を受信することを特徴とする。
【００３８】
第１１発明に係るプラズマディスプレイパネルの駆動装置は、第１発明に係るプラズマディスプレイパネルの駆動装置に於いて、前記データドライバは、前記スキャンパルスの関数として前記複数のデータ電極群のそれぞれに前記データ信号を印加することを特徴とする。
【００３９】
第１２発明に係るプラズマディスプレイパネルの駆動装置は、第１発明に係るプラズマディスプレイパネルの駆動装置に於いて、前記スキャンパルスに対応する時間周期中に、印加時点間の時間差は同じであることを特徴とする。
【００４０】
第１３発明に係るプラズマディスプレイパネルの駆動装置は、第１発明に係るプラズマディスプレイパネルの駆動装置に於いて、前記スキャンパルスに対応する時間周期中に、それぞれの印加時点と次の印加時点との間の時間差はそれぞれ異なることを特徴とする。
【００４１】
第１４発明に係るプラズマディスプレイパネルの駆動装置は、第１発明に係るプラズマディスプレイパネルの駆動装置に於いて、所定のサブフィールド内における各スキャンパルスに対応する時間周期中に、それぞれの印加時点と次の印加時点との間の時間差は同じであることを特徴とする。
【００４２】
第１５発明に係るプラズマディスプレイパネルの駆動装置は、第１発明に係るプラズマディスプレイパネルの駆動装置に於いて、所定のサブフィールド内における各スキャンパルスに対応する時間周期中に、それぞれの印加時点と次の印加時点との間の時間差はそれぞれ異なることを特徴とする。
【００４３】
第１６発明に係るプラズマディスプレイパネルの駆動装置は、第１発明に係るプラズマディスプレイパネルの駆動装置に於いて、前記スキャンパルスに対応する時間周期中に、それぞれの印加時点と次の印加時点との間の時間差は１０ｎｓ〜１、０００ｎｓの範囲であることを特徴とする。
【００４４】
第１７発明に係るプラズマディスプレイパネルの駆動装置は、第１発明に係るプラズマディスプレイパネルの駆動装置に於いて、前記スキャンパルスに対応する時間周期中に、それぞれの印加時点と次の印加時点との間の時間差は、スキャンパルス幅に対応する時間の１／１００〜前記スキャンパルスに対応する時間と同じ時間量の範囲であることを特徴とする。
【００４５】
第１８発明に係るプラズマディスプレイパネルの駆動装置は、第１発明に係るプラズマディスプレイパネルの駆動装置に於いて、タイミングテーブルが格納されている記憶媒体をさらに備えるが、前記タイミングテーブルは印加時点を定義する情報を含むことを特徴とする。
【００４６】
第１９発明に係るプラズマディスプレイパネルの駆動装置は、スキャン電極と、サステイン電極と、前記スキャン電極及び前記サステイン電極と交差する複数のデータ電極と、を有するプラズマディスプレイパネルの駆動装置において、前記スキャン電極にスキャン信号を印加するように構成されたスキャンドライバと、前記スキャン信号に対応する相異なる印加時点で前記複数のデータ電極のうち少なくともいずれか２つのデータ電極にデータ信号を印加するように構成されたデータドライバと、を備えることを特徴とする。
【００４７】
第２０発明に係るプラズマディスプレイパネルの駆動装置は、第１９発明に係るプラズマディスプレイパネルの駆動装置に於いて、前記データドライバは、前記スキャン信号の関数として前記相異なる時点で前記データ信号を印加することを特徴とする。
【００４８】
第２１発明に係るプラズマディスプレイパネルの駆動装置は、第１９発明に係るプラズマディスプレイパネルの駆動装置に於いて、それぞれの印加時点と所定のサブフィールド内における１以上のスキャン信号のそれぞれと関連する次の印加時点との間の時間差は、同じであることを特徴とする。
【００４９】
第２２発明に係るプラズマディスプレイパネルの駆動装置は、第１９発明に係るプラズマディスプレイパネルの駆動装置に於いて、それぞれの印加時点と所定のサブフィールド内における１以上のスキャン信号のそれぞれと関連する次の印加時点との間の時間差は、それぞれ異なることを特徴とする。
【００５０】
第２３発明に係るプラズマディスプレイパネルの駆動装置は、第１９発明に係るプラズマディスプレイパネルの駆動装置に於いて、それぞれの印加時点と所定のサブフィールド内における１以上のスキャン信号のそれぞれと関連する次の印加時点との間の時間差は、１０ｎｓ〜１，０００ｎｓの範囲であることを特徴とする。
【００５１】
第２４発明に係るプラズマディスプレイパネルの駆動装置は、第１９発明に係るプラズマディスプレイパネルの駆動装置に於いて、それぞれの印加時点と所定のサブフィールド内における１以上のスキャン信号のそれぞれと関連する次の印加時点との間の時間差は、所定のスキャンパルス幅の１／１００〜前記所定のスキャンパルス幅と同じ時間量の範囲であることを特徴とする。
【００５２】
第２５発明に係るプラズマディスプレイパネルの駆動装置は、第１９発明に係るプラズマディスプレイパネルの駆動装置に於いて、タイミングテーブルが格納されている記憶媒体をさらに備えるが、前記タイミングテーブルは印加時点を定義する情報を含むことを特徴とする。
【００５３】
第２６発明に係るプラズマディスプレイパネルの駆動装置は、スキャン電極と、サステイン電極と、前記スキャン電極及び前記サステイン電極と交差する第１及び第２アドレス電極と、を有するプラズマディスプレイパネルの駆動装置において、前記スキャン電極にサステイン信号とスキャン信号を印加するスキャンドライバと、前記スキャン電極に印加されるサステイン信号と交互に、前記サステイン電極にサステイン信号を印加するサステインドライバと、第１印加時点で前記第１アドレス電極に第１データ信号を印加し、第２印加時点で前記第２アドレス電極に第２データ信号を印加するデータドライバと、を備えるが、前記第１印加時点は前記第２印加時点とは異なり、前記第１及び第２印加時点は前記スキャン信号に対応する時間周期中に起こることを特徴とする。
【００５４】
第２７発明に係るプラズマディスプレイパネルの駆動装置は、複数のスキャン電極と、前記スキャン電極と交差する複数のデータ電極と、を有するプラズマディスプレイパネルの駆動装置において、第１スキャンパルスを第１スキャン電極に印加した後に、第２スキャンパルスを第２スキャン電極に印加するように構成されたスキャンドライバと、前記第１スキャンパルスに対応する時間周期中に複数の第１データ電極群のうちいずれか１つにデータ信号を印加した後、前記第２スキャンパルスに対応する時間周期中に複数の第２データ電極群のうちいずれか１つにデータ信号を印加するように構成されたデータドライバと、を備えるが、前記複数の第１データ電極群のそれぞれに印加された前記データ信号と関連する印加時間と、前記複数の第２データ電極群のそれぞれに印加された前記データ信号と関連する印加時間は、それぞれ異なることを特徴とする。
【００５５】
第２８発明に係るプラズマディスプレイパネルの駆動装置は、第２７発明に係るプラズマディスプレイパネルの駆動装置に於いて、前記複数の第１データ電極群のそれぞれは１以上のデータ電極群を含み、前記複数の第２データ電極群のそれぞれは１以上のデータ電極群を含むことを特徴とする。
【００５６】
第２９発明に係るプラズマディスプレイパネルの駆動装置は、第２７発明に係るプラズマディスプレイパネルの駆動装置に於いて、前記複数の第１データ電極群は、前記複数の第２データ電極群とは異なることを特徴とする。
【００５７】
第３０発明に係るプラズマディスプレイパネルの駆動装置は、スキャン電極と、前記スキャン電極と交差する第１及び第２データ電極と、を有するプラズマディスプレイ装置の駆動方法において、前記スキャン電極にスキャンパルスを印加する段階と、第１印加時点で前記第１データ電極に第１データ信号を印加し、第２印加時点で前記第２データ電極に第２データ信号を印加する段階と、を含むが、前記第１印加時点と前記第２印加時点は前記スキャンパルスに対応する時間周期中に起こり、前記第１印加時点と前記第２印加時点はそれぞれ異なることを特徴とする。
【００５８】
第３１発明に係るプラズマディスプレイパネルの駆動装置は、第３０発明に係るプラズマディスプレイパネルの駆動装置に於いて、前記第１データ電極は複数の第１データ電極群のうちいずれか１つと関連し、前記第２データ電極は複数の第２データ電極群のうちいずれか１つと関連し、前記複数のデータ電極のそれぞれは少なくともいずれか１つのデータ電極を備えることを特徴とする。
【００５９】
第３２発明に係るプラズマディスプレイパネルの駆動装置は、第３１発明に係るプラズマディスプレイパネルの駆動装置に於いて、前記第１データ信号及び前記第２データ信号を印加する段階は、前記複数のデータ電極群のそれぞれに存在する少なくともいずれか１つのデータ電極にデータ信号を印加する段階を含むが、前記複数のデータ電極群のそれぞれと関連する前記印加時点はそれぞれ異なることを特徴とする。
【発明の効果】
【００６０】
本発明は、アドレス期間中に駆動信号がＸ電極に印加される時点を制御することを含む。駆動信号がＸ電極に印加される時点を制御することにより、Ｙ電極とＺ電極に印加される波形に影響するノイズを減らすことができ、その結果、アドレス放電を安定化することができる。したがって、本発明は、プラズマディスプレイパネルを駆動するための一層安定したプロセスを提供し、駆動効率の低下を防止し、スキャンボード及び／またはサステインボードへの電気的損傷を防止することができる。
【発明を実施するための最良の形態】
【００６１】
以下、本発明によるプラズマディスプレイパネルの駆動方法を好適な実施例及び添付図を参照して詳しく説明する。
【００６２】
図７は、本発明の一実施例によるプラズマディスプレイパネルの駆動方法においてデータ信号の印加と関連するタイミングシーケンスを示す概念図である。
【００６３】
図７を参照すれば、アドレス期間の間、データ信号がそれぞれ異なる印加時点ｔ０〜ｔｎ−１で全てのＸ電極Ｘ１〜Ｘｎに印加される。同図に示すように、Ｘ１には時点ｔ０でデータ信号が印加され、Ｘ２には時点ｔ１＝t０＋Δｔ１でデータ信号が印加され、Ｘｎ電極にはｔｎ−１＝ｔ０＋Δｔｎ−１でデータ信号が印加される。例えば、印加時点ｔｍ（ｍは０〜ｎ-１）のそれぞれでデータ信号がＸ電極Ｘ１〜Ｘｎに印加されると仮定すれば、印加時点間の時間差はΔｔｍ＝ｔｍ−ｔｍ−１である。
【００６４】
ここで、Δｔｍ＝Δｔ＝一定であるとすると、ｔ１＝ｔ０＋Δｔ，ｔｎ−１＝ｔ０＋（ｎ−１）Δｔとなる。
【００６５】
一方、各印加時点間の時間差Δｔｍはそれぞれ変わることができる。例えば、印加時点ｔｍ（ｍは０〜ｎ-１）のそれぞれでデータ信号がＸ電極Ｘ１〜Ｘｎに印加されると仮定すると、印加時点間の時間差はΔｔｍ＝ｔｍ−ｔｍ―１（ここで、ｍは１以上であり、Δｔｍは変わる。すなわち、２つの以上の値を有する）となる。
【００６６】
すなわち、Ｘ１電極にはｔ０＝１０ｎｓの時点でデータ信号が印加され、Ｘ２電極にはｔ１＝２０ｎｓの時点でデータ信号が印加され、Ｘ３電極にはｔ２＝４０ｎｓの時点でデータ信号が印加される。このとき、Δｔ１＝ｔ１−ｔ０＝２０−１０＝１０ｎｓ、Δｔ２＝ｔ２−ｔ１＝４０−２０＝２０ｎｓとなり、印加時点間の時間差Δｔｍは互いに異なる。
【００６７】
ここで、印加時点間の時間差Δｔは、１０ｎｓ〜１，０００ｎｓと設定できる。その理由を図８を参照して説明する。
【００６８】
図８は、電極群の数を一定とし、連続する印加時点間の時間差を一定とした場合に、結合電圧、及び結合電圧がどのようにしてデータ信号印加時点間の時間差の関数となるかを示す。例えば、図８に示すように、データ信号の印加信号時点間の差が１０ｎｓ、すなわちΔｔが１０ｎｓ未満の値に設定された場合、結合電圧は比較的高い。同様に、データ信号印加時点間の差が１，０００ｎｓ、すなわちΔｔが１，０００ｎｓ以上に設定されるとき、結合電圧は比較的高い。しかし、データ信号印加時点間の差Δｔが１０ｎｓ〜１，０００ｎｓの範囲に設定された場合、結合電圧は比較的低い。即ち、データ信号印加時点間の差Δｔが１０ｎｓ〜１，０００ｎｓの範囲に設定された場合、Δｔが１０ｎｓ未満及び１０００ｎｓ以上に設定された場合に比較して低い。
【００６９】
時間差Δｔは、プラズマディスプレイパネルによってスキャンパルスのパルス幅に対して設定できる。よって、Δｔはスキャンパルス幅の１／１００〜１スキャンパルス幅と同じ時間の範囲である。例えば、１つのスキャンパルスのパルス幅が１μｓであると仮定すれば、印加時点間の時間差Δｔはスキャンパルス幅の１／１００、すなわち１０ｎｓ〜１スキャンパルス幅と同じ値、すなわち１，０００ｎｓの範囲である。
【００７０】
このように、アドレス期間中にデータ信号の印加時点間の時間差Δｔが例えば１０ｎｓと１，０００ｎｓとの間に設定されると、Ｘ電極に印加されるデータ信号の各印加時点でパネルにおける静電容量による結合(coupling)（すなわち、結合電圧）が減少する。その結果、Ｙ電極及びＺ電極に印加される波形に対するノイズが減少する。
【００７１】
一方、図７に示すように、それぞれ異なる時点ｔ０〜ｔｎ−１で全てのＸ電極Ｘ１〜 Ｘｎにデータ信号が印加されている。しかし、Ｘ電極Ｘ１〜 Ｘｎに印加されるデータ信号のうち少なくともいずれか１つは、ｎ未満である少なくともいずれか２つ以上のＸ電極の群(group)に同時に印加できる。この方法を図９を参照して説明する。
【００７２】
図９は、本発明の他の実施例によるプラズマディスプレイパネルの駆動方法においてＸ電極を４つのＸ電極群に分けたことを示す図である。より詳しくは、プラズマディスプレイパネル８３のＸ電極Ｘ１〜Ｘｎは、例えばＸ電極（Ｘａ１〜Ｘａ(ｎ)／４）を備えるＸａ電極群８４と、Ｘ電極（Ｘｂ(ｎ+１)／４〜Ｘｂ(２ｎ)／４）を備えるＸｂ電極群８５と、Ｘ電極（Ｘｃ(２ｎ+１)／４〜Ｘｃ(３ｎ)／４）を備えるＸｃ電極群８６と、Ｘ電極（Ｘｄ(３ｎ+１)／４〜Ｘｄ(ｎ)）を備えるＸｄ電極群８７と、に分けられる。電極群Ｘａ，Ｘｂ，Ｘｃ及びＸｄのそれぞれは、他の電極群と異なる時点でデータ信号を受信する。すなわち、Ｘａ電極群８４に属した全ての電極（Ｘａ１〜Ｘａ(ｎ)／４）は同じ時点でデータ信号を受信する一方、残り他の電極群８５，８６，８７に属した電極はＸａ電極群８４に属した電極（Ｘａ１〜Ｘａ(ｎ)／４）と関連する時点と異なる時点でデータ信号を受信する。
【００７３】
図９では、Ｘ電極群Ｘａ，Ｘｂ，Ｘｃ及びＸｄのそれぞれに含まれているＸ電極の数は同じであるが、各Ｘ電極群に含まれているＸ電極の数は変わることができる。よって、例えば、例示的な実施例において、所定の電極群は１つの電極だけを有することができる。しかしながら、他の例示的な実施例においては、所定の電極群は１つの電極を除いた全ての電極を有することができる。さらに、この電極はそれぞれの電極群内に順次にグループ分けされる。したがって、例えば、図９に示すように、４つの電極群Ｘａ，Ｘｂ，Ｘｃ及びＸｄとｎ数の電極が存在する場合、第１電極群Ｘａは第１の４／ｎの電極を、第２電極群Ｘｂは第２の４／ｎの電極を、第３電極群Ｘｃは第３の４／ｎの電極を、第４電極群Ｘｄは第４の４／ｎの電極を、それぞれ順次に備えることができる。選択的に、この電極は電極群にランダムに分散させることができる。
【００７４】
また、Ｘ電極群の数は変わることができる（すなわち、４つ電極群以上または未満）。例えば、本発明の一実施例によるＸ電極群の数は最小２〜最大ｎの範囲であるが、最大電極群の数ｎは図７における実施例を反映する。このように、Ｘ電極群の数は、データ信号の印加に使われる回路、特にプラズマディスプレイパネルの駆動時の回路によって生ずる熱の量に基づいて決定される。電極群の数を決める方法の例を図１０を参照して説明する。
【００７５】
ＰＤＰ装置の中には、スキャン電極が第１グループ（例えば、上部グループ）と第２グループ（例えば、下部グループ）とに分けられるデュアルスキャン方法を採用するものがある。２つのグループのスキャン電極が同時に（すなわち、パラレルに）駆動される。もちろん、これは、スキャン電極の駆動に必要な時間量を大いに減らす。デュアルスキャンの概念は当該技術分野に於いて公知である。しかし、もしＰＤＰ装置がデュアルスキャンを用いると、データ電極は必ず半分ずつに分割される。このデータ電極の半分（例えば、上部半分(upper half)）はスキャン電極の第１または上部グループに対応し、データ電極の他の半分（例えば、下部半分(lower half)）はスキャン電極の第２または下部グループに対応する。データ電極の上部及び下部の半分は個別的なデータドライバを用いて独立的に駆動される。
【００７６】
一方、本発明の様々な実施例によれば、データグループは、８つの電極群Ｘａ〜Ｘｈのような電極群に分割されるが、ここで、第１または第２スキャン電極群と関連するデータ電極グループに印加されるデータ信号は、スキャン及び／またはサステイン信号に悪影響を及ぼすノイズを最小化するために、前述したように時間的にオフセットできる。
【００７７】
図１０は、連続する印加時点間の時間差を一定値とした場合に、プラズマディスプレイパネルの駆動時に発生する熱とＸ電極群の数との関係を示す。
【００７８】
同図に示すように、プラズマディスプレイパネルの駆動時に発生する熱の量は、Ｘ電極群の数に応じて変わる。例えば、図１０に示すように、Ｘ電極群の数が４未満であれば、プラズマディスプレイパネルの駆動時に発生する熱の量は比較的大きい。さらに、図１０に示されてはいないが、Ｘ電極群の数が８を超えると、プラズマディスプレイパネルの駆動時に発生する熱の量も比較的大きい。よって、プラズマディスプレイパネルの駆動時に発生する熱の量を最小化するためには、Ｘ電極群の数を好ましくは４〜８、即ち４以上８以下の範囲に設定する。
【００７９】
さらに、各電極群に含まれているデータ電極の数は調整できる。例えば、１つの電極群に含まれているデータ電極の数は、ＶＧＡ(Video Graphic Array)、ＸＧＡ(Extended Video Graphics Array)及びＨＤＴＶ(High Definition Television)システムの画質を考慮すると、好ましくは１００〜１，０００、より好ましくは２００〜５００となる。
【００８０】
また、図９を参照すれば、同図はパネル８３のＸ，Ｙ及びＺにそれぞれ接続されたデータドライバＩＣ２０、スキャンドライバＩＣ２１及びサステインドライバＩＣ２３を含む構造を示す。同図によれば、データドライバＩＣ２０、スキャンドライバＩＣ２１及びサステインドライバＩＣ２３がパネル８３から離れているように見えるが、実際には、データドライバＩＣ２０、スキャンドライバＩＣ２１及びサステインドライバＩＣ２３はいずれもパネル８３に結合されている。
【００８１】
図９に示すように、４つの電極群Ｘａ，Ｘｂ，Ｘｃ及びＸｄに分けられたプラズマディスプレイパネルのデータ信号と関連する印加時点を、図１１を参照して説明する。
【００８２】
図１１に示すように、電極群、すなわち電極群Ｘａ，Ｘｂ，Ｘｃ及びＸｄの何れかに属する全電極、即ち同一の電極群に属する全ての電極に印加されるデータ信号の印加時点は同一時点である。
【００８３】
一方、電極群Ｘａ，Ｘｂ，Ｘｃ及びＸｄのうち異なる電極群に対するデータ信号の印加時点はそれぞれ異なる。例えば、Ｘａ電極群（Ｘａ１〜Ｘａ(ｎ)／４）に属したＸ電極はいずれも時点ｔ０でデータ信号を受信し、Ｘｂ電極群（Ｘｂ(ｎ+１)／４〜Ｘｂ(２ｎ)／４）に属したＸ電極はいずれも時点ｔ１＝ｔ０＋Δｔでデータ信号を受信し、Ｘｃ電極群（Ｘｃ(２ｎ+１)／４〜Ｘｃ(３ｎ)／４）に属したＸ電極はいずれもｔ２＝ｔ０＋２Δｔでデータ信号を受信し、Ｘｄ電極群（Ｘｄ(３ｎ+１)／４〜Ｘｄ(ｎ)）に属したＸ電極はいずれもｔ３＝ｔ０＋３Δｔでデータ信号を受信する。例えば、１つの印加時点ｔｍ−１から次の印加時点ｔｍ（ここでｍは０〜Ｄ−１であり、ＤはＸ電極群の総数である）までの連続する時点間の時間差は、Δｔｍ＝Δｔ＝一定に維持される。つまり、本実施例において、連続する印加時点間の時間差は変わらない。すなわち、ｍは１，２，３とすると、Δｔｍ＝ｔｍ−ｔｍ−１＝ Δｔ＝一定である。
【００８４】
選択的に、印加時点間の時間差Δｔｍは変わることができる。よって、該当Ｘ電極群とそれぞれ関連する連続する印加時点は、ｔｍとｔｍ−１（ここで、ｍは１，２，・・，Ｄ−１であり、ＤはＸ電極群の総数である）によって表現されると仮定するとき、連続する印加時点間の時間差Δｔｍは少なくともいずれか２つの以上の値を持つことができる。例えば、図９に示した電極群Ｘａはｔ０＝１０ｎｓの時点でデータ信号を受信し、Ｘｂ電極群はｔ１＝２０ｎｓの時点でデータ信号を受信し、Ｘｃ電極群はｔ２＝４０ｎｓの時点でデータ信号を受信し、Ｘｄ電極群はｔ３＝７０ｎｓの時点でデータ信号を受信することができる。このとき、Δｔ１＝ｔ１−ｔ０＝２０−１０＝１０ｎｓ、Δｔ２＝ｔ２−ｔ１＝４０−２０＝２０ｎｓ、Δｔ３＝ｔ３−ｔ２＝７０−４０＝３０ｎｓとなり、印加時点間の時間差Δｔｍは互いに異なり、３以上の値を持つ。
【００８５】
好ましくは、連続する印加時点の時間差Δｔｍは１０ｎｓ〜１，０００ｎｓ（ここで、１，０００ｎsは典型的なスキャンパルス幅と同じであり、１０ｎsは典型的はスキャンパルス幅の１／１００と同じである）の範囲である。
【００８６】
仮に一本発明の各種実施例によってデータ信号が印加されれば、Ｙ電極とＺ電極に印加される波形に影響する、容量結合が原因で発生するノイズが最小化される。これを図１２を参照して詳しく説明する。
【００８７】
図１２は、図１１に示すように、Ｘ電極に印加されるデータ信号のためにＹ電極とＺ電極に印加される波形に影響を及ぼすノイズを示す。図１２に示すように、図６に比べてＹ電極とＺ電極に印加される波形に影響するノイズが著しく減少した。この場合、それぞれの印加時点でパネルにおける静電容量(capacitance)による電圧結合を低減する目的で、例えば、それぞれ異なる印加時点（ｔ０，ｔ０＋Δｔ，ｔ０＋２Δｔ，ｔ０＋３Δｔ）で始まる４つの電極群（Ｘａ，Ｘｂ，Ｘｃ及びＸｄ）にデータ信号を印加する。よって、Ｘ電極Ｘ１〜Ｘｎはデータ信号を同時に受信しない。したがって、Ｙ電極とＺ電極に印加される波形に影響する、正に増加するノイズレベルは、データ信号が急上昇する（すなわち、データ信号の上昇エッジ）時点で減少し、Ｙ電極とＺ電極に印加される波形に影響する、負に増加するノイズレベルは、データ信号が急下降する（すなわち、データ信号の下降エッジ）時点で減少する。その結果、ノイズ減少はアドレス期間中に起こるアドレス放電を安定化させる。これは、プラズマディスプレイパネルの駆動効率の低下を防止する。
【００８８】
但し、図１２に示した波形は一実施例に過ぎないものであり、本発明の技術思想がこれに限定されるとは言えない。この波形が本発明の範囲と思想を外れない限度内で色々な変形及び修正が可能なのは当業者にとっては自明のことである。
【００８９】
例えば、上述したように、データ信号がそれぞれ異なる印加時点でＸ電極Ｘ１〜Ｘｎのそれぞれに印加されるか、或いは、全てのＸ電極がそれぞれ同数のＸ電極を有する４つの電極群などに分けられ、データ信号がそれぞれ異なる時点で各電極群別に印加される。
【００９０】
しかし、代替方法も可能である。例えば、奇数番目のＸ電極を１つの電極群に分類する一方、偶数番目のＸ電極を他の１つの電極群に分類することができる。ここで、同じ電極群内の全てのＸ電極は同じ時点でデータ信号を受信し、一方、各電極群のデータ信号の印加時点はそれぞれ別々に設定される。
【００９１】
他の代替方法によれば、Ｘ電極Ｘ１〜Ｘｎは、少なくともいずれか１以上の電極群が他の電極群(other electrode group)または群(groups)とは異なる数のＸ電極を有する複数の電極群に分けられ、データ信号がそれぞれ異なる時点で各電極群別に印加される。例えば、Ｘ１電極には時点ｔ０でデータ信号が印加され、Ｘ２〜Ｘ１０電極にはｔ０＋Δｔでデータ信号が印加され、Ｘ１１〜Ｘｎ電極にはｔ０＋２Δｔでデータ信号が印加できる。このように、本発明によるプラズマディスプレイパネルの駆動方法は様々な変形が可能である。
【００９２】
図１３は、本発明の例示的な実施例によって駆動されるプラズマディスプレイパネルのコントローラ１１００の構成を概略的に示すブロック図である。図１３に示すように、図１３の回路モジュールは、コントローラ１１００が実装されるコントロールボード、データボード１１６０、スキャンボード１１７０及びサステインボード１１８０を備える。コントロールボードは他のボードの動作を制御する核心的な機能を行う。また、これは、ガンマ処理、ゲイン処理、誤差拡散処理、ＡＰＬ(Average Picture Level)算出、サブフィールドマッピング(ＳＦＭ：Sub-Field Mapping)処理、データボード、スキャンボード及びサステインボードの動作タイミング処理などの多様な機能を行う。
【００９３】
コントローラ１１００は、コントロールボードに取り付けられ、信号処理器１１１０、メモリコントローラ１１２０、データ整列器１１３０、ＥＰＲＯＭ(Erasable Programmable ＲＯＭ)１１４０、タイミングコントローラ１１５０などを含む。
【００９４】
信号処理器１１１０は、ＤＶＳ信号、ＤＨＳ信号、ＤＥＮ信号、Ｒ，Ｇ，Ｂ信号に対するゲイン処理、サブフィールドマッピング処理、誤差拡散処理、逆ガンマ補正処理、ＡＰＬ算出処理を行う。メモリコントローラ１１２０は、信号処理器１１１０から入力される各種信号を格納し、タイミングコントローラ１１５０の制御の下で信号を処理する。データ整列器１１３０は、メモリコントローラ１１２０から受信した各種データ信号を整列し、タイミングコントローラ１１５０からの制御信号によってデータボード１１６０へ整列済みデータ信号を転送する。ＥＰＲＯＭ１１４０は、スキャンテーブル、サブフィールドマッピングテーブル、タイミングテーブル、ＡＰＬテーブル、各種パラメータなどを格納する。よって、信号処理器１１１０及びタイミングコントローラ１１５０は、ＥＰＲＯＭ１１４０に格納されている各種テーブルを用いて所望の動作を行う。
【００９５】
一方、本発明の実施例によれば、ＥＰＲＯＭ１１４０に格納されているタイミングテーブルは、データボード１１６０に取り付けられたデータドライバＩＣ（図示せず）に印加される１以上のデータ信号に対するデータ信号タイミングテーブルを含む。ＥＰＲＯＭ１１４０に格納されているデータ信号タイミングテーブルは、２つ以上の電極群に含まれているデータ電極へのデータ信号印加時点についての情報が格納されている。すなわち、データ信号タイミングテーブルは、データ信号印加時点を定義する情報を格納し、データ信号印加時点のそれぞれは電極群に対応する。よって、同じ電極群におけるデータ電極は、データ信号タイミングテーブルに格納されている情報によって定義されたように、同じ時点でデータ信号を受信し、それぞれのデータ電極群と関連するデータ信号印加時点のそれぞれは、少なくともいずれか２つの電極群ごとに相異なる値を有する。このデータ信号タイミングテーブルは、データ信号印加時点に対する情報を格納でき、その時点は各データ電極ごとにそれぞれ異なる。この場合、データ信号はそれぞれ異なる時点でデータ電極のそれぞれによって受信される。
【００９６】
一方、 データ信号印加時点に対応する情報は、各印加時点が電極群または個々の電極に対応するか否かに関係なく、連続するデータ信号印加時点間の時間差Δｔｍの形態で格納可能である。上述したように、Δｔは約１０ｎｓ〜約１，０００ｎｓの範囲である。
【００９７】
一方、図１３では、データ信号タイミングテーブルを備える各種テーブルを格納するための記憶媒体(storage media)としてＥＰＲＯＭ１１４０を例として説明している。該記憶媒体はＥＰＲＯＭに限定されるものではなく、ＥＥＰＲＯＭ、フラッシュＲＯＭなどのようなＲＯＭタイプ記憶媒体または非揮発性記憶媒体を含むことができる。
【００９８】
タイミングコントローラ１１５０は、ＥＰＲＯＭ１１４０に格納されているデータ信号タイミングテーブルからの情報を読み込み、データ信号を印加するための制御信号を生成し、生成された制御信号をデータ整列器１１３０へ送信する。データ整列器１１３０は、タイミングコントローラ１１５０から受信した制御信号によって整列済みデータを印加するためのデータ信号を生成し、それをデータボード１１６０へ送信する。しかし、データ整列器１１３０によって送信されるデータ信号は、同時に送信されず、２つ以上のデータ信号または全てのデータ信号が夫々異なる時点で送信される。
【００９９】
したがって、データ整列器１１３０から受信されたデータ信号に応えて、データボード１１６０に取り付けられたデータドライバＩＣ（図示せず）は、受信されたデータ信号に基づいてデータ信号を該当データ電極に転送する。その結果、パネル結合(panel coupling)が原因でスキャンボード１１７０またはサステインボード１１８０に印加される波形に影響を及ぼすノイズが減少し、スキャンボード１１７０及び／またはサステインボード１１８０の破損(failures)が防止される。
【０１００】
一方、本発明を特定の例示的な実施例を参照して説明したが、本発明はかかる実施例に限定されるものではなく、本発明の範囲及び精神を外れない限度内でかかる実施例の変形または修正が可能なのは当該分野で通常の知識を有する者には明らかなことである。
【図面の簡単な説明】
【０１０１】
【図１】従来のプラズマディスプレイパネルの構成を示す図である。
【図２】プラズマディスプレイパネルと駆動モジュールとの関係を示す図である。
【図３】従来技術によるプラズマディスプレイパネルにおいて階調画像を具現する方法を示す図である。
【図４】従来技術によるプラズマディスプレイパネルの駆動方法に使われる駆動波形を示す図である。
【図５】従来のプラズマディスプレイパネルにおいてデータ信号のタイミングシーケンスを示す概念図である。
【図６】従来のプラズマディスプレイパネルにおいてＸ電極に印加されるデータ信号のシーケンスタイミングのためにＹ電極とＺ電極に印加される波形に影響するノイズを示す図である。
【図７】本発明の一実施例によるプラズマディスプレイパネルの駆動方法においてデータ信号の印加時点を説明するための概念図である。
【図８】データ信号の印加時点間の差における変化による結合電圧を説明する図である。
【図９】本発明の他の実施例によるプラズマディスプレイパネルの駆動方法において、データ信号の印加時点を説明するためにＸ電極を４つのＸ電極群に分けることを説明するための図である。
【図１０】プラズマディスプレイパネルの駆動時に発生する熱と、Ｘ電極群の数との関係を説明するための図である。
【図１１】図９の場合におけるデータ信号の印加時点を示す図である。
【図１２】図１１の場合においてＸ電極に印加されるデータ信号によって引き起こされた、Ｙ電極とＺ電極に印加される波形のノイズを説明するための図である。
【図１３】本発明の実施例によって駆動されるプラズマディスプレイパネルのコントローラの構成を概略的に示すブロック図である。
【図１】
2006065299.tif 000003
【図７】
2006065299.tif 000004
【図２】
2006065299.tif 000005
【図３】
2006065299.tif 000006
【図４】
2006065299.tif 000007
【図５】
2006065299.tif 000008
【図６】
2006065299.tif 000009
【図８】
2006065299.tif 000010
【図９】
2006065299.tif 000011
【図１０】
2006065299.tif 000012
【図１１】
2006065299.tif 000013
【図１２】
2006065299.tif 000014
【図１３】
2006065299.tif 000015